(57)【要約】      （修正有）【課題】ボールの中心を通るｘ軸、ｙ軸、ｚ軸のいずれの軸でも、慣性モーメントが同じ値になるように設計するというボール設計の技術常識を打破し、打撃したボールが地面に接地した際における接地面の影響が受け難い、直進性に優れた、特に、グランドゴルフやパークゴルフに適した球技用ボールを提供する。【解決手段】球体２の中心に、ｘ軸に長軸、ｙ軸とｚ軸に同一長さの短軸を有し、何れの軸に対しても線対称な形状の中空あるいは低密度素材からなるコア部３を球体２の中心に設ける等して、球体２の中心を通るｘ軸、ｙ軸とｚ軸のうち、ｙ軸とｚ軸の慣性モーメントが等しく、ｘ軸の慣性モーメントが、ｙ軸とｚ軸の慣性モーメントよりも大きく設定した。【選択図】図１
2014090915.tif 000002
【特許請求の範囲】
【請求項１】
球体の中心を通る互いに直交する３本のｘ軸、ｙ軸とｚ軸のうち、ｙ軸とｚ軸の慣性モーメントが等しく、ｘ軸の慣性モーメントが、ｙ軸とｚ軸の慣性モーメントよりも大きく設定されている球技用ボール。
【請求項２】
球体の中心を通る前記X軸に垂直な任意の軸周りの慣性モーメントが全て一定である請求項１記載の球技用ボール。
【請求項３】
球体の中心を通る前記ｘ軸に長軸、ｙ軸とｚ軸に同一長さの短軸を有する中空あるいは低密度素材からなるコア部を前記球体の中心に設けたことを特徴とする請求項１又は２記載の球技用ボール。
【請求項４】
前記球体の中心を通る前記ｘ軸に垂直な面に、球体の素材よりも高密度な素材からなる錘部を、ｘ軸を中心に環状に配置したことを特徴とする請求項１又は２記載の球技用ボール。
【請求項５】
前記球体の中心を通る前記ｘ軸に長軸、ｙ軸とｚ軸に同一長さの短軸を有する中空あるいは低密度素材からなるコア部を前記球体の中心に設け、前記球体の中心を通る前記ｘ軸に垂直な面に、球体の素材よりも高密度な素材からなる錘部を、ｘ軸を中心に環状に配置したことを特徴とする請求項１又は２記載の球技用ボール。
【請求項６】
前記球体の中心に、中空あるいは低密度素材からなる球形のコア部を設け、前記球体の中心を通る前記ｘ軸に垂直な面に、球体の素材よりも高密度な素材からなる錘部を、ｘ軸を中心に環状に配置したことを特徴とする請求項１又は２記載の球技用ボール。
【請求項７】
球体の中心を通る前記X軸に、球体の中心を挟んで等距離の位置に中空あるいは低密度素材からなる回転促進部を設けており、前記回転促進部のX軸に垂直な任意の断面形状が円形であることを特徴とする請求項１又は２記載の球技用ボール。
【請求項８】
前記球体の中心を通る前記ｘ軸に長軸、ｙ軸とｚ軸に同一長さの短軸を有する中空あるいは低密度素材からなるコア部を前記球体の中心に設け、かつ、球体の中心を通る前記X軸に球体の中心を挟んで等距離の位置に中空あるいは低密度素材からなる回転促進部を設けており、前記回転促進部のX軸に垂直な任意の断面形状が円形であることを特徴とする請求項１又は２記載の球技用ボール。
【請求項９】
前記球体の中心に、中空あるいは低密度素材からなる球形のコア部を設け、かつ、球体の中心を通る前記X軸上に球体の中心を挟んで等距離の位置に中空あるいは低密度素材からなる回転促進部を設けており、前記回転促進部のX軸に垂直な任意の断面形状が円形であることを特徴とする請求項１又は２記載の球技用ボール。
【請求項１０】
前記球体の中心に、中空あるいは低密度素材からなる球形のコア部を設け、球体の中心を通る前記X軸上に、球体の中心を挟んで等距離の位置に中空あるいは低密度素材からなる回転促進部を設け、前記球体の中心を通る前記ｘ軸に垂直な面に、球体の素材よりも高密度な素材からなる錘部を、ｘ軸を中心に環状に配置したことを特徴とする請求項１又は２記載の球技用ボール。
【請求項１１】
前記球体の中心を通る前記ｘ軸に長軸、ｙ軸とｚ軸に同一長さの短軸を有する中空あるいは低密度素材からなるコア部を前記球体の中心に設け、球体の中心を通る前記X軸上に、球体の中心を挟んで等距離の位置に中空あるいは低密度素材からなる回転促進部を設け、前記球体の中心を通る前記ｘ軸に垂直な面に、球体の素材よりも高密度な素材からなる錘部を、ｘ軸を中心に環状に配置しており、前記回転促進部のX軸に垂直な任意の断面形状が円形であることを特徴とする請求項１又は２記載の球技用ボール。
【請求項１２】
パークゴルフ用又はグラウンドゴルフ用である請求項１〜１１のいずれかに記載の球技用ボール。
【発明の詳細な説明】
【技術分野】
【０００１】
この発明は、接地面の影響を受け難い直進性に優れた競技用ボール、特にパークゴルフ用、グラウンドゴルフ用として好適な競技用ボールに関するものである。
【背景技術】
【０００２】
ボールを打撃するスポーツとしては、野球、テニス、ゴルフの他、最近では、グランドゴルフやパークゴルフも盛んである。
【０００３】
ゴルフと、グランドゴルフやパークゴルフでは、ボールに求められる特性が異なる。
【０００４】
ゴルフの場合は、打撃による到達距離のうち、９割がキャリー、残りがランであるのに対し、グランドゴルフやパークゴルフの場合は、キャリーよりもランの方が大きくなるように設計され、接地後のボールの直進性が要求される。
【０００５】
このランに及ぼす影響因子としては、ボールの慣性モーメントがあり、この慣性モーメントに着目して、ボールの直進性、コントロール性を向上させたパークゴルフ用ボールが特許文献１に開示されている。
【先行技術文献】
【特許文献】
【０００６】
【特許文献１】特開２００５−８０８４４号公報
【発明の概要】
【発明が解決しようとする課題】
【０００７】
ところで、ボールの慣性モーメントは、従来、ボールの中心を通る互いに直交する３本のｘ軸、ｙ軸、ｚ軸のいずれの軸でも、同じ値になるように設計されるのが技術常識になっている。
【０００８】
そこで、この発明は、ボールの中心を通る互いに直交する３本のｘ軸、ｙ軸、ｚ軸のいずれの軸でも、慣性モーメントが同じ値になるように設計するというボール設計の技術常識を打破し、打撃したボールが地面に接地した際における接地面の影響が受け難い、直進性に優れた、特に、グランドゴルフやパークゴルフに適したボールを得ることを課題とするものである。
【課題を解決するための手段】
【０００９】
この発明の球技用ボールは、球体の中心を通る互いに直交する３本のｘ軸、ｙ軸とｚ軸のうち、ｙ軸とｚ軸の慣性モーメントが等しく、ｘ軸の慣性モーメントが、ｙ軸とｚ軸の慣性モーメントよりも大きく設定している。
【００１０】
このように、球体の中心を通る互いに直交する３本のｘ軸、ｙ軸とｚ軸のうち、ｘ軸の回りの慣性モーメントを、他の２軸の回りの慣性モーメントよりも大きくすると、ｘ軸の回りの大きな慣性モーメントにより、ボールが地面に接地した際に、接地面の影響を受け難く、ｘ軸を中心に回転し易く、ボールの直進性が向上する。
【００１１】
球体の中心を通る互いに直交する３本のｘ軸、ｙ軸とｚ軸のうち、ｘ軸の回りの慣性モーメントを、他の２軸の回りの慣性モーメントよりも大きくするには、例えば、ｘ軸上に、中空あるいは低密度素材を配置したり、ｘ軸に垂直な面に、球体の素材よりも高密度な素材からなる錘部を、ｘ軸を中心に環状に配置したり、あるいは、ｘ軸上に、中空あるいは低密度素材を配置し、さらに、ｘ軸に垂直な面に、球体の素材よりも高密度な素材からなる錘部を、ｘ軸を中心に環状に配置したりする方法等を採用することができ、いずれの方法の場合においても、球体の中心を通る前記X軸に垂直な任意の軸周りの慣性モーメントが全て一定になるように構成する。
【００１２】
例えば、ｘ軸上に、中空あるいは低密度素材を配置して、ｘ軸の回りの慣性モーメントを、他の２軸の回りの慣性モーメントよりも大きくするには、球体の中心を通る前記ｘ軸に長軸、ｙ軸とｚ軸に同一長さの短軸を有する中空あるいは低密度素材からなるコア部を球体の中心に設ける方法の他、球体の中心を挟んで等距離の位置に中空あるいは低密度素材からなる回転促進部を設ける方法、球体の中心を通る前記ｘ軸に長軸、ｙ軸とｚ軸に同一長さの短軸を有する中空あるいは低密度素材からなるコア部と、球体の中心を挟んで等距離の位置に中空あるいは低密度素材からなる回転促進部を組合せる方法等を採用することができる。ここで、回転促進部とは、X軸に垂直な任意の断面形状が円形であることによって、ｘ軸の回りの慣性モーメントを他の２軸の回りの慣性モーメントよりも大きくすることで、ｘ軸中心の回転を促すものである。回転促進部の形状としては、X軸に垂直な任意の断面形状が円形であればよく、例えば、球形、上記コア部と同様なカプセル形状、半球形等が挙げられる。
【発明の効果】
【００１３】
この発明の球技用ボールは、ボールが地面に接地した際に、接地面の影響を受け難く、ｘ軸を中心に回転し易く、ボールの直進性に優れているので、グランドゴルフやパークゴルフに好適に使用することができる。
【図面の簡単な説明】
【００１４】
【図１】（ａ）はこの発明の球技用ボールの第１の実施形態を示す中央縦断面図であり、（ｂ）は（ａ）のｙ軸を中心に９０度回転した状態を示す中央縦断面図である。
【図２】（ａ）はこの発明の球技用ボールの第２の実施形態を示す中央縦断面図であり、（ｂ）は（ａ）のｙ軸を中心に９０度回転した状態を示す中央縦断面図である。
【図３】（ａ）はこの発明の球技用ボールの第３の実施形態を示す中央縦断面図であり、（ｂ）は（ａ）のｙ軸を中心に９０度回転した状態を示す中央縦断面図である。
【図４】（ａ）はこの発明の球技用ボールの第４の実施形態を示す中央縦断面図であり、（ｂ）は（ａ）のｙ軸を中心に９０度回転した状態を示す中央縦断面図である。
【図５】（ａ）はこの発明の球技用ボールの第５の実施形態を示す中央縦断面図であり、（ｂ）は（ａ）のｙ軸を中心に９０度回転した状態を示す中央縦断面図である。
【図６】（ａ）はこの発明の球技用ボールの第６の実施形態を示す中央縦断面図であり、（ｂ）は（ａ）のｙ軸を中心に９０度回転した状態を示す中央縦断面図である。
【図７】（ａ）はこの発明の球技用ボールの第７の実施形態を示す中央縦断面図であり、（ｂ）は（ａ）のｙ軸を中心に９０度回転した状態を示す中央縦断面図である。
【図８】（ａ）はこの発明の球技用ボールの第８の実施形態を示す中央縦断面図であり、（ｂ）は（ａ）のｙ軸を中心に９０度回転した状態を示す中央縦断面図である。
【図９】（ａ）はこの発明の球技用ボールの第９の実施形態を示す中央縦断面図であり、（ｂ）は（ａ）のｙ軸を中心に９０度回転した状態を示す中央縦断面図である。
【発明を実施するための形態】
【００１５】
この発明の実施形態を図１〜図９を用いて説明する。この発明の実施形態は、図１、図２および図５に示す３つの形態、並びにそれらの組合せをベースに、適宜、中空あるいは低密度素材や、高密度素材を配置することによって実現することができる。ただし、この発明の範囲は図１〜図９に示す形態には限定されず、種々の変更が可能である。
この発明の球技用ボール１は、球体の中心を通る互いに直交する３本のｘ軸、ｙ軸とｚ軸のうち、ｙ軸とｚ軸の慣性モーメントが等しく、ｘ軸の慣性モーメントが、ｙ軸とｚ軸の慣性モーメントよりも大きく設定したものである。
図１は、この発明の第１の実施形態の球技用ボール１を示し、この実施形態では、球体２の中心に、ｘ軸に長軸、ｙ軸とｚ軸に同一長さの短軸を有する中空あるいは低密度素材からなる、カプセル型のコア部３を球体２の中心に設けることによって、球体２の中心を通るｘ軸、ｙ軸とｚ軸のうち、ｙ軸とｚ軸の慣性モーメントが等しく、ｘ軸の慣性モーメントが、ｙ軸とｚ軸の慣性モーメントよりも大きくなるように設定している。
【００１６】
例えば、グランドゴルフで使用する球技用ボール１は、重量が９５ｇ以下で、下限が８０ｇと定められているので、球体２の中心に、中空あるいは低密度素材からなるコア部３を設けると、全体の重量が軽くなるので、球体２の素材の密度を、コア部３を設けない場合よりも高密度にして、全体の重量が前記の規定範囲内に入るように調整する。
【００１７】
図２は、この発明の第２の実施形態の球技用ボール１を示し、この実施形態では、球体２の中心を通るｘ軸に垂直な面に、球体２の素材よりも高密度な素材からなる錘部４を、ｘ軸を中心に環状に配置することにより、球体２の中心を通るｘ軸、ｙ軸とｚ軸のうち、ｙ軸とｚ軸の慣性モーメントが等しく、ｘ軸の慣性モーメントが、ｙ軸とｚ軸の慣性モーメントよりも大きくなるように設定している。
【００１８】
図３に示す球技用ボール１は、この発明の第３の実施形態であり、球体２の中心に、ｘ軸に長軸、ｙ軸とｚ軸に同一長さの短軸を有する中空あるいは低密度素材からなるカプセル型のコア部３を球体２の中心に設け、さらに、球体２の中心を通るｘ軸に垂直な面に、球体２の素材よりも高密度な素材からなる錘部４を、ｘ軸を中心に環状に配置している。    
【００１９】
図４に示す球技用ボール１は、この発明の第４の実施形態であり、球体２の中心に、中空あるいは低密度素材からなる球形のコア部３を設け、さらに、球体２の中心を通るｘ軸に垂直な面に、球体２の素材よりも高密度な素材からなる錘部４を、ｘ軸を中心に環状に配置している。
【００２０】
図５に示す球技用ボール１は、この発明の第５の実施形態であり、球体２の中心を通る前記X軸に、球体２の中心を挟んで等距離の位置に中空あるいは低密度素材からなる回転促進部３３を設けている。
【００２１】
図６に示す球技用ボール１は、この発明の第６の実施形態であり、球体２の中心に、ｘ軸に長軸、ｙ軸とｚ軸に同一長さの短軸を有する中空あるいは低密度素材からなるカプセル型のコア部３を球体２の中心に設け、さらに、球体２の中心を通るX軸に、球体２の中心を挟んで等距離の位置に中空あるいは低密度素材からなる回転促進部３３を設けている。
【００２２】
図７に示す球技用ボール１は、この発明の第７の実施形態であり、球体２の中心に、中空あるいは低密度素材からなる球形のコア部３を設け、さらに、球体２の中心を通るX軸に、球体２の中心を挟んで等距離の位置に中空あるいは低密度素材からなる回転促進部３３を設けている。
【００２３】
図８に示す球技用ボール１は、この発明の第８の実施形態であり、球体２の中心に、中空あるいは低密度素材からなる球形のコア部３を設け、球体２の中心を通るX軸に、球体２の中心を挟んで等距離の位置に中空あるいは低密度素材からなる回転促進部３３を設け、さらに、球体２の中心を通るｘ軸に垂直な面に、球体２の素材よりも高密度な素材からなる錘部４を、ｘ軸を中心に環状に配置している。なお、コア部３の素材が球体２の素材と同じ場合でも、この発明に含まれる。
【００２４】
図９に示す球技用ボール１は、この発明の第９の実施形態であり、球体２の中心に、ｘ軸に長軸、ｙ軸とｚ軸に同一長さの短軸を有する中空あるいは低密度素材からなるカプセル型のコア部３を球体２の中心に設け、球体２の中心を通るｘ軸に、球体２の中心を挟んで等距離の位置に中空あるいは低密度素材からなる回転促進部３３を設け、さらに、球体２の中心を通るｘ軸に垂直な面に、球体２の素材よりも高密度な素材からなる錘部４を配置している。
【００２５】
この発明における球技用ボールの製造方法としては、例えば、ｘ軸上に中空を配置するには、ボールを半分に割った状態で中空を配置し、その後にそれぞれを接合させる等、適宜設計することができる。
【符号の説明】
【００２６】
１  球技用ボール
２  球体
３  コア部
３３  回転促進部
４  錘部
【図１】
2014090915.tif 000003
【図２】
2014090915.tif 000004
【図３】
2014090915.tif 000005
【図４】
2014090915.tif 000006
【図５】
2014090915.tif 000007
【図６】
2014090915.tif 000008
【図７】
2014090915.tif 000009
【図８】
2014090915.tif 000010
【図９】
2014090915.tif 000011